(57)【要約】【課題】内鍋と外鍋との間の空間内の空気を効率的に加熱することができ、かつ、変形に対する強度を高めた保温鍋を有する圧力鍋セットを提供すること。【解決手段】外鍋１２０の側壁１２２の外側面１２２ａを８角柱状に形成し、その内側面１２２ｂを円柱状に形成し、側壁１２２の周方向において、厚みの厚い部分と厚みの薄い部分とを交互に形成する。側壁１２２の厚みの厚い部分では、外鍋１２０の外気の影響が少ないので相対的に温度が高くなり、その薄い部分では外気の影響が大きいので相対的に温度が低くなる。従って、これらに接する空気の間でも温度差が生じ、これらの間で循環し、空間１４０内の空気を容易に加熱することができる。【選択図】図３
2007143837.tif 000002
【特許請求の範囲】
【請求項１】
保温鍋と前記保温鍋を圧力鍋として機能させる圧力鍋用蓋とからなる圧力鍋セットであって、
前記保温鍋は、
底部と、該底部の周縁から直立する側壁と、を有する内鍋と、
底部と、該底部の周縁から直立する側壁と、を有し、前記内鍋を内部に配置することができる外鍋と、を備え、
前記内鍋を前記外鍋の内側に配置した状態において、前記内鍋の前記側壁の上端と前記外鍋の前記側壁の上端とが接合され、前記内鍋の前記底部と前記外鍋の前記底部とは相互に接しており、前記内鍋の側壁と前記外鍋の側壁との間に所定の空間が形成されている圧力鍋セット。
【請求項２】
前記内鍋の前記底部と前記外鍋の前記底部との間の少なくとも一部には、前記内鍋及び前記外鍋の材質とは異なり、かつ、前記内鍋及び前記外鍋よりも高い熱伝導率を有する材質からなる伝熱部材が挟み込まれていることを特徴とする請求項１に記載の圧力鍋セット。
【請求項３】
前記外鍋の前記側壁の外側面と内側面の少なくとも何れか一方はＮ角柱状（Ｎは６以上の自然数）に形成されていることを特徴とする請求項１または２に記載の圧力鍋セット。
【請求項４】
前記Ｎは８の倍数であることを特徴とする請求項３に記載の圧力鍋セット。
【発明の詳細な説明】
【技術分野】
【０００１】
本発明は、鍋を加熱することにより、その中の食物その他の被加熱物を加熱した後、さらに加熱することなく、その被加熱物を保温することができる保温鍋と、その保温鍋を圧力鍋として機能させる圧力鍋用蓋とからなる圧力鍋セットに関する。
【背景技術】
【０００２】
鍋を加熱することによって鍋の中に入れられた食物を加熱した後、さらに加熱を継続することなく、鍋の中の食物を保温することができる保温鍋として種々のものがこれまでつくられている。その一つとして実用新案登録第３０３３３５３号公報に記載された保温鍋を図８に示す。
【０００３】
図８に表されているように、従来の保温鍋５００は、円筒状の有底の内鍋５０１と、内鍋５０１よりも径が大きい円筒状で有底の外鍋５０２と、からなり、この内鍋５０１と外鍋５０２との間に所定の空間５０３が形成されている。
【０００４】
そして、内鍋５０１の上端にフランジ５０４を形成し、このフランジ５０４を外鍋５０２の上端に密着させて接合することにより、内鍋５０１と外鍋５０２との間の空間５０３は閉じた空間となるようにされている。
【０００５】
従って、このような保温鍋５００を一度加熱すると、内鍋５０１と外鍋５０２との間の空気層は熱伝導率が低いため、内鍋５０１と外鍋５０２との間で断熱され、内鍋５０１内に入れられた野菜等の被加熱物を保温調理することができる。
【発明の開示】
【発明が解決しようとする課題】
【０００６】
しかしながら、従来の保温鍋５００は、内鍋５０１と外鍋５０２との間の空間５０３で断熱されているため、この空間５０３内の空気が加熱されるまで、内鍋５０１の内部に入れられた被加熱物を充分に加熱することができなかった。
【０００７】
さらに、一つの鍋を保温鍋として使用するとともに、その鍋を圧力鍋としても使用することができれば利便性が極めて増すが、これまでにそのような鍋は提案されなかった。
【０００８】
そこで、本発明は、保温鍋を構成する内鍋と外鍋との間の空間内の空気を効率的に加熱することができるとともに、その保温鍋を圧力鍋としても使用することを可能にする圧力鍋セットを提供することを目的とする。
【課題を解決するための手段】
【０００９】
以上の課題を解決するため、本発明は、保温鍋と前記保温鍋を圧力鍋として機能させる圧力鍋用蓋とからなる圧力鍋セットであって、前記保温鍋は、底部と、該底部の周縁から直立する側壁と、を有する内鍋と、底部と、該底部の周縁から直立する側壁と、を有し、前記内鍋を内部に配置することができる外鍋と、を備え、前記内鍋を前記外鍋の内側に配置した状態において、前記内鍋の前記側壁の上端と前記外鍋の前記側壁の上端とが接合され、前記内鍋の前記底部と前記外鍋の前記底部とは相互に接しており、前記内鍋の側壁と前記外鍋の側壁との間に所定の空間が形成されていることを特徴とする圧力鍋セットを提供する。
【００１０】
前記外鍋の前記側壁の外側面と内側面の少なくとも何れか一方はＮ角柱状（Ｎは６以上の自然数）に形成されていることが好ましい。
【００１１】
このように、外鍋の側壁の形状をＮ角柱状（Ｎは６以上の自然数）に形成することで、外鍋の側壁の厚さ、または、外鍋と内鍋の間の空間の空気層の厚さが周方向において均一とはならずに、その厚さの厚い部分と薄い部分とが交互に生ずるようになる。
【００１２】
このため、その厚さの厚い部分と薄い部分とおいて熱伝導率が異なり、内鍋と外鍋の間の空間の空気層に温度の高い部分と低い部分とが周方向において交互に生ずることになり、これらの間で空気が循環し効率的に加熱される。
【００１３】
また、外鍋の側壁の形状をＮ角柱状（Ｎは６以上の自然数）に形成することで、円断面よりも断面二次モーメントが大きくなるので、変形に対する抵抗（強度）を大きくすることができる。
【００１４】
なお、Ｎは８の倍数とすることが好ましい。
【００１５】
さらに、上記のような構造を有する保温鍋を圧力鍋用蓋とともに用いることにより、当該保温鍋を圧力鍋としても用いることができる。
【００１６】
内鍋の底部と外鍋の底部との間の少なくとも一部には、これらの内鍋及び外鍋の材質とは異なり、かつ、これらの内鍋及び外鍋よりも高い熱伝導率を有する材質からなる伝熱部材を挟み込んでおくことが好ましい。
【００１７】
このような伝熱部材を用いることにより、内鍋と外鍋との間の空気層を効率的に加熱することができる。
【発明の効果】
【００１８】
以上のように、本発明によれば、外鍋を加熱した際に、外鍋と内鍋との間の空気層に温度差が生じて循環が起こるため、この空気層を効率的に加熱することができる。
【００１９】
また、外鍋の側壁の形状をＮ角柱状（Ｎは６以上の自然数）に形成することで、円断面よりも断面二次モーメントが大きくなるので、変形に対する抵抗（強度）を大きくすることができる。
【００２０】
さらに、保温鍋を圧力鍋用蓋とともに用いることにより、当該保温鍋を圧力鍋としても用いることができる。
【発明を実施するための最良の形態】
【００２１】
（第一の実施形態）
本発明の第一の実施形態に係る圧力鍋セットは、図１乃至図３に示す保温鍋１００と、図４に示す圧力鍋用蓋１５０とからなる。
【００２２】
図１は、本発明の第一の実施形態に係る圧力鍋セットを構成する保温鍋１００の斜視図であり、図２は、図１のＸ−Ｘ線における矢示方向から見た縦断面図である。
【００２３】
図２に表されているように、本実施形態における保温鍋１００は、内鍋１１０と、外鍋１２０と、把手１３０と、により構成されている。
【００２４】
内鍋１１０は、ステンレスからなり、底部１１１と、この底部１１１の周縁から直立する側壁１１２と、により構成されており、この底部１１１と側壁１１２により囲まれる空間内において被加熱対象物を加熱調理することができるようにされている。
【００２５】
なお、内鍋１１０の底部１１１は円形に形成されており、側壁１１２は円筒状に形成されている。
【００２６】
そして、側壁１１２の上端には、外側に延びるフランジ１１３が形成されており、このフランジ１１３を後述する外鍋１２０の上端に溶接することにより、内鍋１１０は、外鍋１２０に接合されている。
【００２７】
外鍋１２０は、ステンレスからなり、底部１２１と、この底部１２１の周縁から直立する側壁１２２と、により構成されている。
【００２８】
ここで、外鍋１２０の側壁１２２の内側面の直径Ｄは、内鍋１１０の側壁１１２の外側面の直径Ｄ’よりも大きくされており、また、外鍋１２０と内鍋１１０の深さは、ほぼ同じになるように形成されているため、外鍋１２０の内側に内鍋１１０を挿入することができるようにされている。
【００２９】
そして、本実施形態においては、外鍋１２０の内側に内鍋１１０を挿入した際に、外鍋１２０の底部１２１と内鍋１１０の底部１１１とが密着し、かつ、外鍋１２０の側壁１２２と内鍋１１０の側壁１１２との間に所定の間隔Ｅが空き、内鍋１１０の側壁１１２の周囲にリング状の空間１４０が生ずるようにされている。
【００３０】
この間隔Ｅについては、加熱調理を行った際に内鍋１１０の内部に加えられた熱の断熱を図り、この熱が容易に外気に逃げてしまうことのない範囲で適宜選択することができる設計事項である。
【００３１】
図３は保温鍋１００の横断面図である。
【００３２】
図３に表されているように、外鍋１２０の側壁１２２の外側面１２２ａは８角柱状に形成されており、その内側面１２２ｂは円柱状に形成されている。
【００３３】
従って、外鍋１２０の側壁１２２は、その周方向（図３のＦ、Ｆ’方向）において、厚みの厚い部分（側壁１２２の外側面１２２ａの角となっている部分）と厚みの薄い部分（側壁１２２の外側面１２２ａの角と角との間の中間部分）とが交互に形成される。
【００３４】
そして、外鍋１２０の底部１２１を加熱すると、外鍋１２０と内鍋１１０との間の空間１４０の空気も加熱されるが、この加熱された空気は、外鍋１２０の側壁１２２の薄い部分では、その厚い部分よりも外鍋１２０の外気の影響を受けやすいので、その外気の影響で冷やされ、相対的に温度が低くなる。一方、外鍋１２０の側壁１２２の厚い部分では、その薄い部分よりも外気の影響を受けにくいので、相対的に温度が高くなる。従って、これらの温度の高い部分と低い部分とに接する空間１４０内の空気にも温度差が生じ、空気の循環が生ずるので、この空気を容易に加熱することができる。
【００３５】
図１及び図２に示すように、外鍋１２０には片持ち用の樹脂製の把手１３０が取り付けられている。
【００３６】
把手１３０にはＬ字型の溝１３１が形成されている。後述する圧力鍋用蓋１５０はＬ字型溝１３１を介して保温鍋１００に固定される。
【００３７】
図４は、本実施形態に係る圧力鍋セットを構成する圧力鍋用蓋１５０の斜視図である。
【００３８】
図４に示すように、圧力鍋用蓋１５０は半球に近い曲面状の形状をなしており、頂点に取り付けられた把手１５１と、圧力弁１５２と、係合用部材１５３とを備えている。
【００３９】
係合用部材１５３はＬ字型をなしており、外鍋１２０に取り付けられている把手１３０に形成されているＬ字型の溝１３１に嵌合し得る形状を有している。係合用部材１５３をＬ字型溝１３１に嵌合させることにより、圧力鍋用蓋１５０は保温鍋１００に対して固定される。このため、保温鍋１００は圧力鍋として機能する。
【００４０】
圧力弁１５２は保温鍋１００の内圧が所定の圧力以上になったときに開き、保温鍋１００の内部の蒸気を逃がし、保温鍋１００の内圧を所定の圧力に維持する。
【００４１】
本実施形態に係る圧力鍋セットは以上のように構成される。
【００４２】
ガスコンロなどによって、保温鍋１００を加熱すると、まず、外鍋１２０がガスコンロの炎により最初に加熱され、次いで、外鍋１２０の底部１２１に接している内鍋１１０の底部１１１が加熱される。そして、内鍋１１０が加熱されることによって、内鍋１１１の内部に入れられた野菜等の被加熱物が加熱される。
【００４３】
ガスコンロから与えられた熱は外鍋１２０を介して内鍋１１０に伝達すると同時に、その熱の一部は外鍋１２０を介して空間１４０の中に存在する空気にも伝達される。このため、空間１４０の中の空気の温度は上昇し、以後、ガスコンロによる加熱が終了するまで、空間１４０の中の空気の温度は上昇する。
【００４４】
なお、ガスコンロで加熱を行う際には、本実施形態では、外鍋１２０の側壁１２２の厚い部分とその薄い部分とに接する空気層に温度差が生ずるため、これらの間で循環が生じこの空間１４０内の空気を容易に加熱することができる。
【００４５】
そして、ガスコンロによる加熱を終了しても、外鍋１２０と内鍋１１０との間の空間１４０内の空気が加熱されていることにより、この加熱された空気の層によって内鍋１１０が覆われているため、内鍋１１０の内部の温度が容易に下がってしまうことなく保温され、内鍋１１０の中に入れられた被加熱対象物を保温調理することができる。
【００４６】
さらに、係合用部材１５３をＬ字型溝１３１に嵌合させることにより、圧力鍋用蓋１５０は保温鍋１００に対して固定される。このため、保温鍋１００を圧力鍋として用いることもできる。
【００４７】
なお、本実施形態においては、内鍋１１０及び外鍋１２０をともにステンレスで構成しているが、これに限定されることはなく他の素材、例えば、銅、ホーロー、アルミニウム等により構成することも可能である。
【００４８】
また、本実施形態においては、外鍋１２０の側壁１２２の外側面１２２ａは８角柱状に形成されているが、このような態様に限定されず、Ｎ角柱状のＮの数を６以上の自然数の中から任意に選択可能である。
【００４９】
なお、本実施形態における圧力鍋用蓋１５０は一例を示したものにすぎず、使用し得る圧力鍋用蓋の構造は本実施形態に示した構造には限定されない。保温鍋１００を圧力鍋として使用することができる圧力鍋用蓋であれば、どのような構造を有する圧力鍋用蓋であっても、使用することができる。
【００５０】
本実施形態においては、外鍋１２０の側壁１２２の外側面１２２ａは８角柱状に形成されているが、外側面１２２ａの形状は８角柱状に限定されるものではなく、他の形状をとることも可能である。
【００５１】
（第二の実施形態）
図５は、本発明の第二の実施形態に係る圧力鍋セットの斜視図であり、本実施形態に係る圧力鍋セットは保温鍋２００と圧力鍋用蓋２５０とからなる。
【００５２】
図６は、図５のＹ−Ｙ線における矢示方向から見た保温鍋２００の縦断面図である。
【００５３】
図６に表されているように、本実施形態における保温鍋２００は、内鍋１１０と、外鍋２２０と、把手１３０と、により構成されている。
【００５４】
内鍋１１０は、第一の実施形態と同様に、ステンレスからなり、底部１１１と、この底部１１１の周縁から直立する側壁１１２と、により構成されており、この底部１１１と側壁１１２により囲まれる空間内において被加熱対象物を加熱調理することができるようにされている。
【００５５】
なお、内鍋１１０の底部１１１は円形に形成されており、側壁１１２は円筒状に形成されている。
【００５６】
そして、側壁１１２の上端には、外側に延びるフランジ１１３が形成されており、このフランジ１１３において後述する外鍋２２０の上端に溶接することにより、内鍋１１０は、外鍋２２０に接合されている。
【００５７】
外鍋２２０は、底部２２１と、この底部２２１の周縁から直立する側壁２２２と、により構成されている。
【００５８】
ここで、外鍋２２０の底部２２１の上面及び下面上にはアルミ合金からなる伝熱部材２２３が圧着されており、下方の伝熱部材２２３の下面には、ステンレスからなる化粧板２２４が圧着されている。
【００５９】
なお、伝熱部材２２３は、外鍋２２０の底部２２１を加熱した際に、熱を効率的に内鍋１１０及び外鍋２２０に伝えるためのものであり、内鍋１１０及び外鍋２２０よりも伝熱効率が優れた材質であれば良く、本実施形態においては、アルミ合金を使用したが、これに限定されるわけではない。
【００６０】
また、ステンレスからなる化粧板２２４については、アルミ合金からなる伝熱部材２２３の耐腐食性を考慮して設置されたものであり、必ずしも必要とされるものではない。
【００６１】
ここで、外鍋２２０の側壁２２２の内側面の直径Ｄは、第一の実施形態と同様に、内鍋１１０の側壁１１２の外側面の直径Ｄ’よりも大きくされており、また、外鍋２２０と内鍋１１０の深さは、ほぼ同じになるように形成されているため、外鍋２２０の内側に内鍋１１０を挿入することができるようにされている。
【００６２】
そして、外鍋２２０の内側に内鍋１１０を挿入した際に、外鍋２２０の底部２２１の上方に圧着された伝熱部材２２３と内鍋１１０の底部１１１とが密着し、かつ、外鍋２２０の側壁２２２と内鍋１１０の側壁１１２との間に所定の間隔Ｅが空き、内鍋１１０の側壁１１２の周囲にリング状の空間２４０が生ずるようにされている。
【００６３】
この間隔Ｅについては、第一の実施形態と同様に、加熱調理を行った際に内鍋１１０の内部に加えられた熱の断熱を図り、この熱が容易に外気に逃げてしまうことのない範囲で適宜選択することができる設計事項である。
【００６４】
図７は保温鍋２００の横断面図である。
【００６５】
図７に表されているように、本実施形態においては、外鍋２２０の側壁２２２は、１６角柱状に形成されている。即ち、側壁２２２の外側面２２２ａも内側面２２２ｂも１６角柱状に形成されており、側壁２２２の厚さが均一になるように形成されている。
【００６６】
そして、内鍋１１０の側壁１１１が円筒状に形成されていることから、外鍋２２０と内鍋１１０との間の空間２４０は、その周方向（図７のＦ、Ｆ’方向）において、厚みの厚い部分（側壁２２２の外側面２２２ａの角となっている部分）と厚みの薄い部分（側壁２２２の外側面２２２ａの角と角との間の中間部分）とが交互に形成される。
【００６７】
そして、外鍋２２０の底部２２１を加熱すると、外鍋２２０と内鍋１１０との間の空間２４０の空気も加熱されるが、空間２４０の厚みの薄い部分は、その厚い部分よりもより早く加熱されるため、相対的に温度が高くなる。従って、これらの温度の高い部分と低い部分でこの空間２４０内の空気が循環し、この空気を容易に加熱することができる。
【００６８】
なお、このようにして外鍋２２０と内鍋１１０との間の空間２４０内の空気が加熱されることにより、外鍋２２０の底部２２１の加熱を止めた後も、この加熱された空気の層によって内鍋１１０が覆われているため、内鍋１１０の内部の温度が容易に下がってしまうことなく保温され、内鍋１１０の中に入れられた被加熱対象物を保温調理することができる。
【００６９】
図５及び図６に示すように、外鍋２２０には片持ち用の樹脂製の把手１３０が取り付けられている。
【００７０】
本実施形態における把手１３０は第一の実施形態における把手１３０と同様の構造を有している。すなわち、把手１３０にはＬ字型の溝１３１が形成されており、後述する圧力鍋用蓋２５０はＬ字型溝１３１を介して保温鍋２００に固定される。
【００７１】
本実施形態における圧力鍋用蓋２５０は半球に近い曲面状の形状をなしており、頂点に取り付けられた樹脂製の把手２５３と、圧力弁２５４と、係合用部材２５５とを備えている。
【００７２】
係合用部材２５５はＬ字型をなしており、外鍋２２０に取り付けられている把手１３０に形成されているＬ字型の溝１３１に嵌合し得る形状を有している。係合用部材２５５をＬ字型溝１３１に嵌合させることにより、圧力鍋用蓋２５０は保温鍋２００に対して固定される。このため、保温鍋２００は圧力鍋として機能する。
【００７３】
圧力弁２５４は保温鍋２００の内圧が所定の圧力以上になったときに開き、保温鍋２００の内部の蒸気を逃がし、保温鍋２００の内圧を所定の圧力に維持する。
【００７４】
また、本実施形態における圧力鍋用蓋２５０は、上面２５１と、この上面２５１の周縁から垂下する側壁２５２とを備えているため、この圧力鍋用蓋２５０を内鍋１１０のフランジ１１３に載せることにより、より保温性が高まる。
【００７５】
なお、本実施形態においては、外鍋２２０の側壁２２２が１６角柱状に形成されていることから、外蓋２５０の側壁２５２も１６角柱状に形成し、また、外蓋２５０の上面２５１も１６角錐状に形成している。
【００７６】
本実施形態に係る圧力鍋セットは、以上のように構成される。
【００７７】
ガスコンロなどによって、保温鍋２００を加熱すると、まず、外鍋２２０がガスコンロの炎により最初に加熱され、次いで、外鍋２２０の底部２２１に接している内鍋１１０の底部１１１が加熱される。なお、本実施形態では、伝熱部材２２３が外鍋２２０の底部２２１に圧着されているため、より容易に内鍋１１０が加熱される。そして、内鍋１１０が加熱されることによって、内鍋１１１の内部に入れられた野菜その他の被加熱物が加熱される。
【００７８】
ガスコンロから与えられた熱は外鍋２２０を介して内鍋１１０に伝達すると同時に、その熱の一部は外鍋２２０を介して空間２４０の中に存在する空気にも伝達される。このため、空間２４０の中の空気の温度は上昇し、以後、ガスコンロによる加熱が終了するまで、空間２４０の中の空気の温度は上昇する。
【００７９】
なお、ガスコンロで加熱を行う際には、本実施形態では、空間２４０の厚みの厚い部分と薄い部分とで温度差が生ずるため、これらの間で空気が循環し、この内部の空気を容易に加熱することができる。
【００８０】
そして、ガスコンロによる加熱を終了しても、外鍋２２０と内鍋１１０との間の空間２４０内の空気が加熱されていることにより、この加熱された空気の層によって内鍋１１０が覆われているため、内鍋１１０の内部の温度が容易に下がってしまうことなく保温され、内鍋１１０の中に入れられた被加熱対象物を保温調理することができる。
【００８１】
さらに、係合用部材２５５をＬ字型溝１３１に嵌合させることにより、圧力鍋用蓋２５０は保温鍋２００に対して固定される。このため、保温鍋２００を圧力鍋として用いることもできる。
【００８２】
なお、本実施形態においては、内鍋１１０及び外鍋２２０をともにステンレスで構成しているが、これに限定されることはなく他の素材、例えば、銅、ホーロー、アルミニウム等により構成することも可能である。
【００８３】
また、本実施形態においては、外鍋２２０の側壁２２２を１６角柱状に形成されているが、このような態様に限定されず、Ｎ角柱状のＮの数を６以上の自然数の中から任意に選択可能である。
【００８４】
さらに、本実施形態においては、外蓋２５０の側壁２５２を１６角柱状に形成し、また、外蓋２５０の上面２５１も１６角錐状に形成しているが、このような形状に限定されず、内鍋１１０の保温を図ることができる範囲で任意の形状を選択することができる。
【図面の簡単な説明】
【００８５】
【図１】第一の実施形態に係る圧力鍋セットにおける保温鍋の斜視図である。
【図２】図１のＸ−Ｘ線における矢示方向から見た保温鍋の縦断面図である。
【図３】第一の実施形態に係る圧力鍋セットにおける保温鍋の横断面図である。
【図４】第一の実施形態に係る圧力鍋セットにおける圧力鍋用蓋の斜視図である。
【図５】第二の実施形態に係る圧力鍋セットの斜視図である。
【図６】図５のＹ−Ｙ線における矢示方向から見た圧力鍋セットの縦断面図である。
【図７】第二の実施形態に係る圧力鍋セットにおける保温鍋の横断面図である。
【図８】従来の保温鍋の縦断面図である。
【符号の説明】
【００８６】
１００、２００  保温鍋
１１０  内鍋
１１１  底部
１１２  側壁
１２０、２２０  外鍋
１２１、２２１  底部
１２２、２２２  側壁
１３０  把手
１３１  溝
１４０、２４０  空間
１５０、２５０  圧力鍋用蓋
１５１、２５３  把手
１５２、２５４  圧力弁
１５３、２５５  係合用部材
２５１  上面
２５２  壁面
【図１】
2007143837.tif 000003
【図２】
2007143837.tif 000004
【図３】
2007143837.tif 000005
【図４】
2007143837.tif 000006
【図５】
2007143837.tif 000007
【図６】
2007143837.tif 000008
【図７】
2007143837.tif 000009
【図８】
2007143837.tif 000010